(57)【要約】【課題】人工呼吸器による換気を乱すことなく粘稠物を吸引できる吸引システムを提供すること。【解決手段】人工呼吸器と併用され、気管内の粘稠物を吸引する吸引システム３は、気管内に設けられる吸引ライン（カテーテル３１，吸引ライン３２）と、吸引ラインを介して、粘稠物を吸引する吸引装置（ポンプ３５）と、気管内に設けられる送気ライン（カテーテル３１，送気ライン３６）と、吸引装置により吸引された空気と略同量の空気を、送気ラインを介して、気管内に送出する送気装置（ポンプ３５）とを備える。【選択図】図１
2014068690.tif 000002
【特許請求の範囲】
【請求項１】
人工呼吸器と併用され、気管内の粘稠物を吸引する吸引システムであって、
前記気管内に設けられる吸引ラインと、
前記吸引ラインを介して、前記粘稠物を吸引する吸引装置と、
前記気管内に設けられる送気ラインと、
前記吸引装置により吸引された空気と略同量の空気を、前記送気ラインを介して前記気管内に送出する送気装置とを備える
ことを特徴とする吸引システム。
【請求項２】
請求項１に記載の吸引システムにおいて、
前記吸引ラインの一部及び前記送気ラインの一部は、前記人工呼吸器を構成する気管カニューレ内に設けられる
ことを特徴とする吸引システム。
【請求項３】
請求項１又は請求項２に記載の吸引システムにおいて、
前記吸引ラインには、前記吸引装置により吸引された前記粘稠物を回収する回収容器が設けられ、
前記吸引装置及び前記送気装置は、前記吸引ラインが吸込側に接続され、前記送気ラインが排出側に接続されたポンプである
ことを特徴とする吸引システム。
【請求項４】
請求項３に記載の吸引システムにおいて、
前記回収容器と前記ポンプとの間の前記吸引ライン、及び、前記送気ラインの少なくともいずれかには、前記気管内に送出される空気をろ過するフィルターが設けられている
ことを特徴とする吸引システム。
【発明の詳細な説明】
【技術分野】
【０００１】
本発明は、粘稠物を吸引する吸引システムに関し、詳しくは、人工呼吸器と併用され、気管から痰等の粘稠物を吸引する吸引システムに関する。
【背景技術】
【０００２】
従来、呼吸ができない患者、或いは、呼吸が弱い患者に利用される人工呼吸システムが知られている（例えば、特許文献１参照）。
この特許文献１に記載の人工呼吸システムは、患者の気管に挿入される気管カニューレと、当該気管カニューレと接続される呼吸管を介して送気及び排気を行う人工呼吸器と、気管内に溜まった痰を吸い出す吸引カテーテルと、当該吸引カテーテルと接続された痰吸引器と、コントロールボックスとを備えている。これらのうち、吸引カテーテルの先端部は、気管カニューレ内に配置されている。
【０００３】
このような人工呼吸システムでは、吸引カテーテル内の圧力が−２０ｋＰａ以下であれば、気管内に痰が発生しているとコントロールボックスが判断し、当該圧力が−１８ｋＰａ以上に復帰するまで、痰吸引器を作動させる。
これにより、痰の吸引を必要に応じて常時行うことができるので、気管カニューレから呼吸管を取り外し、当該気管カニューレ内に吸引カテーテルを挿入して痰を吸い出す手間を省くことができる。
【０００４】
また、自発呼吸が可能な患者に装着される人工呼吸器として、気管の内圧の変動に伴う空気の流量変化をトリガーとして、換気（送気及び吸気）を開始する人工呼吸器が知られている。この人工呼吸器は、横隔膜が下がって収縮する動作（空気を吸い込む動作）に伴う気管内の空気の微小な流量変化を検知して、上記気管カニューレを介して空気を送出し、当該空気を送出してから所定時間経過後に、当該気管カニューレを介して空気を気管から吸引する。この所定時間は、患者ごとに調整される。このような人工呼吸器により、呼吸が弱い患者の自発呼吸に応じた換気を行うことができる。
【先行技術文献】
【特許文献】
【０００５】
【特許文献１】特許第３６５２３５６号明細書
【発明の概要】
【発明が解決しようとする課題】
【０００６】
しかしながら、前述の特許文献１に記載の人工呼吸システムでは、上記のように気管内に痰が発生していると判断されると、痰吸引器が吸引を開始する。このため、上記人工呼吸器（自発呼吸が可能な患者に装着される人工呼吸器）が当該人工呼吸システムに採用された場合には、痰吸引器による吸引に起因する気管内の流量変化をトリガーとして、当該気管内への空気の送出を行ってしまうことが考えられる。このような場合、気管内に空気が入り続けてしまい、肺内の空気を適切に換気できないという問題がある。
【０００７】
本発明の目的は、人工呼吸器による換気を乱すことなく粘稠物を吸引できる吸引システムを提供することである。
【課題を解決するための手段】
【０００８】
本発明の一態様に係る吸引システムは、人工呼吸器と併用され、気管内の粘稠物を吸引する吸引システムであって、前記気管内に設けられる吸引ラインと、前記吸引ラインを介して、前記粘稠物を吸引する吸引装置と、前記気管内に設けられる送気ラインと、前記吸引装置により吸引された空気と略同量の空気を、前記送気ラインを介して前記気管内に送出する送気装置とを備えることを特徴とする。
【０００９】
なお、気管内の粘稠物とは、例えば、痰が挙げられる。
上記一態様によれば、吸引装置により、吸引ラインを介して気管内から吸引された空気と略同量の空気が、送気装置により、送気ラインを介して気管内に送出される。これによれば、粘稠物の吸引に伴って気管内の圧力が変動することを抑制できる。従って、人工呼吸器が誤って換気を開始してしまうことを抑制でき、当該人工呼吸器による換気を乱すことなく粘稠物を吸引できる。
【００１０】
上記一態様では、前記吸引ラインの一部及び前記送気ラインの一部は、前記人工呼吸器を構成する気管カニューレ内に設けられることが好ましい。更に、前記吸引ラインの先端部及び前記送気ラインの先端部は、前記気管カニューレ内に配置されていることが好ましい。
上記一態様によれば、吸引ラインの一部及び送気ラインの一部が、気管カニューレ内に配置されるので、当該気管カニューレが粘稠物により詰まることを抑制できる。また、吸引ラインの先端部が気管カニューレ内に配置されるので、当該先端部が気管内壁に吸い付くことを防止できる。この他、気管カニューレの径方向外側に吸引ライン及び送気ラインが配置される場合に比べて、吸引ライン及び送気ラインの配置を容易に行うことができる。
【００１１】
上記一態様では、前記吸引ラインには、前記吸引装置により吸引された前記粘稠物を回収する回収容器が設けられ、前記吸引装置及び前記送気装置は、前記吸引ラインが吸込側に接続され、前記送気ラインが排出側に接続されたポンプであることが好ましい。
上記一態様によれば、吸引ラインに設けられた回収容器により、気管から吸引された空気と粘稠物とを確実に分離できる。従って、吸引された粘稠物を確実に回収できる。また、吸引装置及び送出装置は、吸引ライン及び送気ラインと接続され、回収容器により粘稠物と分離された空気を送気ラインに送出するポンプである。これにより、吸引システムの構成を簡略化できる他、吸引された空気と略同量の空気を確実に気管内に送出できる。
【００１２】
上記一態様では、前記回収容器と前記ポンプとの間の前記吸引ライン、及び、前記送気ラインの少なくともいずれかには、前記気管内に送出される空気をろ過するフィルターが設けられていることが好ましい。
なお、フィルターとしては、除菌可能な多孔質フィルターを例示できる。
上記一態様によれば、吸引された粘稠物を回収する回収容器内で菌が増殖した場合でも、当該フィルターにより、吸引された空気とともに当該菌が気管内に送出されることを抑制できる。
【図面の簡単な説明】
【００１３】
【図１】本発明の一実施形態に係る人工呼吸システムの構成を示す模式図。
【図２】前記実施形態における気管カニューレの挿入位置を示す模式図。
【図３】前記実施形態におけるカテーテルの先端部を示す模式図。
【発明を実施するための形態】
【００１４】
以下、本発明の一実施形態を図面に基づいて説明する。
図１は、本実施形態に係る人工呼吸システム１の構成を示す模式図である。
本実施形態に係る人工呼吸システム１は、図１に示すように、患者に対して人工呼吸（換気）を実施する人工呼吸器２と、当該患者の気管ＴＲ内から痰等の粘稠物を吸引及び回収する吸引システム３とが組み合わされた構成を有する。
【００１５】
［人工呼吸器の構成］
図２は、人工呼吸器２を構成する気管カニューレ２１の挿入位置を示す模式図である。
人工呼吸器２は、気管ＴＲ内に挿入される気管カニューレ２１と、気管カニューレ２１に接続されるコネクター２２と、一端がコネクター２２に接続される呼吸管２３と、当該呼吸管２３の他端と接続される呼吸器本体２４とを備える。
気管カニューレ２１は、本実施形態では、図２に示すように、側面視略Ｊ字状に形成され、気管切開方式によって気管ＴＲに形成された孔に挿入される合成樹脂製の管状部材である。この気管カニューレ２１内に形成された貫通孔２１１は、後述する呼吸器本体２４の駆動によって空気が流通する流通路を形成する。
【００１６】
また、図１及び図２に示すように、気管カニューレ２１において、気管ＴＲ内に挿入される先端側の外表面にはカフ２１２が設けられている。このカフ２１２は、カフ用チューブ（図示省略）を介して流体（例えば気体）が注入されることで膨張する。このカフ２１２により、気管ＴＲ内に気管カニューレ２１を固定できる他、当該気管ＴＲ内壁と気管カニューレ２１の外表面との間の隙間を埋めることができる。
【００１７】
更に、気管カニューレ２１には、唾液吸入チューブ２１３が設けられている。この唾液吸入チューブ２１３は、一端が気管カニューレ２１の基端側端部（体表外に位置する端部）に露出し、他端が気管カニューレ２１の外表面においてカフ２１２より口腔側の位置に露出している。この唾液吸入チューブ２１３を介して、気管ＴＲ内に流入して溜まった唾液や痰が吸引される。なお、唾液吸入チューブ２１３は、気管カニューレ２１の管壁内に埋設されていてもよく、当該気管カニューレ２１の外表面或いは内表面に沿って配設されていてもよい。
【００１８】
コネクター２２は、図１に示すように、気管カニューレ２１における上記基端側端部に接続される円筒状部材である。このコネクター２２は、当該基端側端部に接続される第１接続部２２１と、呼吸管２３の一端が接続される第２接続部２２２と、吸引システム３を構成するカテーテル３１が挿入される第３接続部２２３とを有する。そして、コネクター２２内には、空間Ｓが形成されている。このため、気管ＴＲ内に挿入された気管カニューレ２１にコネクター２２を接続した場合には、当該気管カニューレ２１及びコネクター２２を介して、第２接続部２２２に接続された呼吸管２３内と気管ＴＲ内とが連通する。また、第３接続部２２３に挿入されたカテーテル３１は、先端が貫通孔２１１内に位置付けられる。
【００１９】
呼吸管２３は、第２接続部２２２と呼吸器本体２４とを接続する。この呼吸管２３は、蛇腹様に形成されたフレキシブルチューブ２３１を含んで構成され、当該フレキシブルチューブ２３１にて屈曲変形可能である。
【００２０】
呼吸器本体２４は、呼吸管２３、コネクター２２及び気管カニューレ２１を介して換気（空気の送出及び吸引）を行う。
具体的に、呼吸器本体２４は、自発呼吸ができない患者に対しては、所定周期で換気を実施する。また、呼吸器本体２４は、自発呼吸が可能な患者に対しては、気管ＴＲ内の空気の流量変化に基づく換気を実施する。この自発呼吸が可能な患者に対する換気の場合、呼吸器本体２４は、例えば、患者が空気を排出し終えた後の気管ＴＲ内の空気の微小な流量変化を検知して空気を送出し、当該空気を送出してから所定時間経過後に空気を吸引する。この流量変化は、次の吸気に備えて横隔膜が下がって収縮する動作による内圧の低下に伴うものである。
【００２１】
このような空気の送出においては、予め設定された量の空気を送出する従量式と、気管ＴＲ内の圧力が所定値に達するまで空気を送出する従圧式とのいずれかを採用できる。
そして、当該呼吸器本体２４の動作は、１回の換気量、流速、１分当たりの呼吸回数（換気回数）、吸気時及び排気時の時間比、並びに、ＰＥＥＰ（Positive end-expiratory pressure：呼気終末陽圧）が予め設定された動作モードを患者の容態に応じて切り替えることで行われる。
【００２２】
［吸引システムの構成］
吸引システム３は、気管ＴＲ内において気管カニューレ２１のカフ２１２から肺側の領域に溜まった粘稠物を吸引して回収するものであり、上記呼吸器本体２４が空気を送出する方式として従圧式が採用される場合に、特に有効に機能するものである。
この吸引システム３は、図１に示すように、カテーテル３１、吸引ライン３２、回収容器３３、フィルター３４、ポンプ３５及び送気ライン３６を有する。
【００２３】
図３は、気管カニューレ２１及びカテーテル３１の先端部分を示す模式図である。
カテーテル３１は、前述のように、コネクター２２の第３接続部２２３を介して気管カニューレ２１の貫通孔２１１内に挿入され、先端が当該気管カニューレ２１の先端部近傍に配置される。このカテーテル３１は、本発明の吸引カテーテル及び送気カテーテルに相当し、当該カテーテル３１には、図３に示すように、内部に吸引ルーメン３１１及び送気ルーメン３１２が形成されている。
吸引ルーメン３１１は、吸引ライン３２と接続され、ポンプ３５の駆動により、気管ＴＲ内の上記粘稠物を吸引する。また、送気ルーメン３１２は、カテーテル３１内で吸引ルーメン３１１とは独立して設けられ、ポンプ３５の駆動により、気管ＴＲ内に空気を送出する。
【００２４】
吸引ライン３２は、図１に示すように、吸引ルーメン３１１と回収容器３３とを接続する第１ライン３２１、及び、当該回収容器３３とポンプ３５の吸引側端部とを接続する第２ライン３２２を有する。すなわち、カテーテル３１に形成された吸引ルーメン３１１と、吸引ライン３２とは、本発明の吸引ラインを構成する。なお、第１ライン３２１及び第２ライン３２２は、チューブにより構成されている。
回収容器３３は、吸引ルーメン３１１にて吸引され、第１ライン３２１内を移動した粘稠物を回収する。この回収容器３３の内部にて、ポンプ３５の駆動により吸引された粘稠物が滴下され、これにより当該粘稠物が分離及び回収される。そして、気管ＴＲから吸引された空気だけが、回収容器３３内を流通して、第２ライン３２２を介してポンプ３５に送られる。
【００２５】
フィルター３４は、回収容器３３とポンプ３５との間の第２ライン３２２上に設けられた多孔質フィルターである。具体的に、本実施形態では、フィルター３４は、回収容器３３における第２ライン３２２との接続部分に設けられている。このため、フィルター３４の交換は、回収容器３３の交換とともに実施できる。このようなフィルター３４により、回収容器３３内で菌が増殖する場合でも、当該菌を含む空気がポンプ３５を介して気管ＴＲ内に送出されることが抑制される。
【００２６】
ポンプ３５は、吸引ライン３２を介して吸引された空気を、送気ライン３６及び送気ルーメン３１２を介して気管ＴＲ内に送出する過程で、上記粘稠物を吸引して、前述の回収容器３３にて回収する。このポンプ３５における吸込側には、吸引ライン３２（第２ライン３２２）が接続され、排出側には、送気ライン３６が接続される。このようなポンプ３５として、ローラー方式、フィンガー方式、ボルメトリック方式等の各種ポンプを採用できる他、電磁式エアーポンプを採用できる。
送気ライン３６は、ポンプ３５の送出側端部と、カテーテル３１の送気ルーメン３１２とを接続する。すなわち、当該送気ライン３６と、カテーテル３１に形成された送気ルーメン３１２とは、本発明の送気ラインを構成する。なお、当該送気ライン３６は、チューブにより構成されている。
【００２７】
［吸引システムの作用］
上記吸引システム３において、ポンプ３５が駆動されると、カテーテル３１の吸引ルーメン３１１により気管ＴＲ内の空気が吸引され、粘稠物が吸引される。この粘稠物は、吸引ライン３２の第１ライン３２１内を移動して、回収容器３３にて回収される。また、吸引された空気は、回収容器３３内を流通し、フィルター３４及び第２ライン３２２を介してポンプ３５に到達する。当該ポンプ３５は、吸引した空気をそのまま送気ライン３６に送出し、当該空気は、送気ルーメン３１２から気管ＴＲ内に送出される。
このようにして、吸引システム３は、気管ＴＲから吸引された空気と同量の空気を、当該気管ＴＲ内に送出する。
【００２８】
［実施形態の効果］
以上説明した本実施形態に係る人工呼吸システム１によれば、以下の効果を奏することができる。
吸引システム３において、ポンプ３５によりカテーテル３１の吸引ルーメン３１１及び吸引ライン３２を介して気管ＴＲ内から吸引された空気は、送気ライン３６及び送気ルーメン３１２を介して気管ＴＲ内に送り返される。すなわち、ポンプ３５の駆動により吸引された空気と同量の空気が、気管ＴＲ内に送出される。これによれば、粘稠物の吸引に伴って気管ＴＲ内の圧力が変動することを抑制できる。従って、人工呼吸器２が誤って換気を開始してしまうことを抑制でき、当該人工呼吸器２による換気を乱すことなく粘稠物を吸引できる。
【００２９】
吸引ルーメン３１１及び送気ルーメン３１２が内部に形成されたカテーテル３１は、気管カニューレ２１内に配置される。これによれば、粘稠物を吸引する吸引ルーメン３１１により気管カニューレ２１内の粘稠物が吸引されるので、当該気管カニューレ２１が粘稠物により詰まることを抑制できる。また、吸引ルーメン３１１の先端部が気管カニューレ２１内に配置されるので、当該先端部が気管ＴＲ内壁に吸い付くことを防止でき、ひいては、当該気管ＴＲ内壁の損傷を防止できる。この他、気管カニューレ２１の径方向外側にカテーテル３１が配置される場合に比べて、当該カテーテル３１の配置を容易に行うことができる。
【００３０】
吸引ルーメン３１１とポンプ３５との間、具体的には、吸引ライン３２における第１ライン３２１と第２ライン３２２との間に設けられた回収容器３３により、気管ＴＲから吸引された空気と粘稠物とを確実に分離できる。従って、吸引された粘稠物を確実に回収できる。また、ポンプ３５は、空気及び粘稠物を吸引する吸引装置としての機能と、吸引された空気と同量の空気を送出する送出装置としての機能とを有する。これによれば、これら各装置を別体として設ける場合に比べ、吸引システム３の構成を簡略化できる他、吸引された空気と同量の空気を確実に気管ＴＲ内に送出できる。
【００３１】
回収容器３３から送気ルーメン３１２における気管ＴＲ内の端部までの間にフィルター３４が設けられていることにより、吸引された粘稠物を回収する回収容器３３内で菌が増殖した場合でも、吸引された空気とともに当該菌が患者Ｐの体内に送出されることを抑制できる。また、フィルター３４が回収容器３３の排出側端部に設けられていることにより、回収容器３３の交換とともに当該フィルター３４も交換できる。従って、吸引システム３、ひいては、人工呼吸システム１のメンテナンス性を向上できる。
【００３２】
［実施形態の変形］
本発明を実施するための最良の構成などは、以上の記載で開示されているが、本発明はこれに限定されるものではない。すなわち、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００３３】
前記実施形態では、吸引ルーメン３１１及び送気ルーメン３１２は、カテーテル３１内に形成され、当該カテーテル３１が、吸引カテーテル及び送気カテーテルとして機能するとしたが、本発明はこれに限らない。例えば、吸引カテーテル及び送気カテーテルをそれぞれ個別に気管カニューレ２１内に設けてもよく、更には、当該気管カニューレ２１とは独立して気管ＴＲ内に設けてもよい。
【００３４】
前記実施形態では、気管ＴＲから吸引された空気を当該気管ＴＲ内に送出することで、吸引された空気と同量の空気を気管ＴＲ内に送出しやすいようにするために、吸引装置及び送出装置としての機能を有する１つのポンプ３５を採用した。しかしながら、本発明はこれに限らない。すなわち、吸引装置と送出装置とをそれぞれ別体として設けてもよい。この場合、当該吸引装置により気管ＴＲから吸引された空気と略同量の空気を、送出装置が気管ＴＲ内に送出すればよい。
【００３５】
前記実施形態では、フィルター３４は、回収容器３３とポンプ３５とを接続する第２ライン３２２における回収容器３３の排出側端部に設けられているとしたが、本発明はこれに限らない。すなわち、フィルター３４は、回収容器３３から送気ルーメン３１２における気管ＴＲ内の端部（送気側端部）までの間に設けられていればよい。
前記実施形態では、気管切開方式により気管カニューレ２１を気管ＴＲ内に配置したが、本発明はこれに限らない。例えば、気管内挿管方式により気管カニューレ２１を気管ＴＲ内に挿入してもよい。
【産業上の利用可能性】
【００３６】
本発明は、人工呼吸器と併用され、気管から粘稠物を吸引する吸引システムに好適に利用できる。
【符号の説明】
【００３７】
２…人工呼吸器
３…吸引システム
２１…気管カニューレ
３２…吸引ライン
３３…回収容器
３４…フィルター
３５…ポンプ（吸引装置、送気装置）
３６…送気ライン
３１１…吸引ルーメン（吸引ライン）
３１２…送気ルーメン（送気ライン）
【図１】
2014068690.tif 000003
【図２】
2014068690.tif 000004
【図３】
2014068690.tif 000005